(57)【要約】【課題】記憶部材と搬送部材が接触する場合に比べて、記憶部材に大きな負荷がかかることを防止することができ破損等の不具合を防止することができる記録媒体、画像形成装置及び案内部材を提供する。【解決手段】少なくとも一つの記憶部材１０４を有し、記憶部材１０４は、画像形成装置１０内の搬送路５６に設けられた少なくとも一つの搬送部８８、５８が有する少なくとも一つの搬送部材８８ａ、５８ａと接触しない位置に設けられている記録媒体１００及び、画像形成装置本体１２と、記憶部材１０４を有する記録媒体１００が搬送される搬送路５６と、搬送路５６に設けられた少なくとも一つの搬送部材を有する少なくとも一つの搬送部８８、５８と、を有し、記録媒体１００が搬送される場合に、記憶部材１０４は、搬送部材８８ａ、５８ａと接触しないような構成とされている画像形成装置１０である。【選択図】図４
2018104109.tif 000002
【特許請求の範囲】
【請求項１】
少なくとも一つの記憶部材を有し、
前記記憶部材は、画像形成装置内の搬送路に設けられた少なくとも一つの搬送部が有する少なくとも一つの搬送部材と接触しない位置に設けられている記録媒体。
【請求項２】
少なくとも一つの記憶部材を有し、
前記記憶部材以外の場所に、画像形成装置内の搬送路に設けられた少なくとも一つの搬送部が有する少なくとも一つの搬送部材が通過するように構成されている記録媒体。
【請求項３】
少なくとも一つの記憶部材を有し、
前記記憶部材は、画像形成装置内の搬送路に設けられた少なくとも一つの搬送部が有する複数の搬送部材の間を通過する位置に設けられている記録媒体。
【請求項４】
前記記憶部材は、
第１粘着層を有する一方の基材と、
前記第１粘着層と張り合わされる第２粘着層を有する他方の基材と、の前記第１粘着層と前記第２粘着層の間に配置されており、
少なくとも前記記憶部材を囲むように前記一方の基材側から前記第２粘着部までの深さの切り込みが形成され、
搬送方向に対して直交する方向であって、前記切り込みと前記記憶部材の距離が短い側の前記切り込みを挟んで前記記憶部材とは反対側には、前記記憶部材が前記搬送路に搬送される位置を調整するあらかじめ定められた面積の幅広部が設けられている請求項１乃至３のいずれかに記載の記録媒体。
【請求項５】
前記幅広部は、前記搬送方向に対して直交する方向であって、前記記憶部材と前記切り込みとの距離が離れている側の前記切り込みを挟んで前記記憶部材とは反対側の面積に比べて、広くなっている請求項４に記載の記録媒体。
【請求項６】
前記搬送部は、前記搬送路に設けられたうちの少なくとも前記記憶部材が前記搬送部材から搬送中に１０．０ｋｇｆを超える押圧力を受ける場合のものである請求項１乃至５のいずれかに記載の記録媒体。
【請求項７】
画像形成装置本体と、
記憶部材を有する記録媒体が搬送される搬送路と、
前記搬送路に設けられた少なくとも一つの搬送部材を有する少なくとも一つの搬送部と、を有し、
前記記録媒体が搬送される場合に、前記記憶部材は、前記搬送部材と接触しないような構成とされている画像形成装置。
【請求項８】
画像形成装置本体と、
記憶部材を有する記録媒体が搬送される搬送路と、
前記搬送路に設けられた少なくとも一つの搬送部材を有する少なくとも一つの搬送部と、を有し、
前記記録媒体が搬送される場合に、前記記憶部材以外の場所を前記搬送部材が通過するような構成とされている画像形成装置。
【請求項９】
画像形成装置本体と、
記憶部材を有する記録媒体が搬送される搬送路と、
前記搬送路に設けられた複数の搬送部材を有する少なくとも一つの搬送部と、を有し、
前記記録媒体が搬送される場合に、前記記憶部材は、前記搬送部材の間を通過するような構成とされている画像形成装置。
【請求項１０】
前記画像形成装置本体には、前記記録媒体が配置され、搬送路に送られる開閉装置が設けられており、
前記開閉装置には、前記記録媒体の搬送方向に対して直交する方向の幅の中心位置と、搬送路の中心位置とを一致させる一対の案内部が設けられている請求項７乃至９のいずれかに記載の画像形成装置。
【請求項１１】
画像形成装置に設けられ、搬送路に送られる記録媒体が配置される開閉部材に前記記録媒体と共に配置され、
前記記録媒体が有する少なくとも一つの記憶部材が、前記画像形成装置内の前記搬送路に設けられた少なくとも一つの搬送部が有する少なくとも一つの搬送部材と接触しない位置となるように、前記開閉部材に配置される位置を調整する案内部材。
【請求項１２】
画像形成装置本体と、
記憶部材を有する記録媒体が搬送される搬送路と、
前記搬送路に設けられた少なくとも一つの搬送部と
前記搬送部が有する少なくとも一つの搬送部材と、を有し、
前記画像形成装置本体には、前記記録媒体が案内部に挟まれて配置され、搬送路に送られる開閉装置を有し、
前記開閉装置に前記記録媒体が配置される場合、前記記憶部材が前記搬送部材と接触しない位置に調整される案内部材が設けられる画像形成装置。
【発明の詳細な説明】
【技術分野】
【０００１】
本発明は、記録媒体、画像形成装置及び案内部材に関する。
【背景技術】
【０００２】
例えば、ＲＦＩＤ（Radio Frequancy IDentification）等の回路装置を有する紙等の記録媒体に画像を形成する画像形成装置に関する発明として、下記特許文献１に、ＲＦＩＤチップを備えた記録媒体を搬送する搬送手段と、搬送される前記記録媒体の幅方向の所定位置に対応して当該画像形成装置に固定して配置され該記録媒体のＲＦＩＤチップを通信により検知するＲＦＩＤセンサと、前記記録媒体に画像を形成する画像形成手段と、前記記録媒体におけるＲＦＩＤチップと形成される画像との位置関係を指定する画像形成条件が入力される入力手段とを備え、前記画像形成条件に基づいて、前記ＲＦＩＤチップがＲＦＩＤセンサにより検知可能な位置となるように設定された搬送向きで前記記録媒体が搬送され、前記記録媒体の搬送向き及び前記画像形成条件に基づいて、入力される画像データを所定角度で回転させる画像処理が行われ、該画像処理後の画像データにより前記記録媒体上に画像が形成されることを特徴とする画像形成装置が開示されている。
【先行技術文献】
【特許文献】
【０００３】
【特許文献１】特開２００８−２２１６７９号公報
【発明の概要】
【発明が解決しようとする課題】
【０００４】
回路装置を有する記録媒体が画像形成装置内に送られる場合、記録媒体を搬送するための搬送ロール等の搬送部が有する各搬送部材の間を通過する場合に、回路装置が有する記憶部材に大きな負荷がかかる課題がある。
【０００５】
本発明は、記憶部材と搬送部材が接触する場合に比べて、記憶部材に大きな負荷がかかることを防止することができ破損等の不具合を防止することができる記録媒体、画像形成装置及び案内部材を提供することを目的とする。
【課題を解決するための手段】
【０００６】
請求項１に係る本発明は、少なくとも一つの記憶部材を有し、前記記憶部材は、画像形成装置内の搬送路に設けられた少なくとも一つの搬送部が有する少なくとも一つの搬送部材と接触しない位置に設けられている記録媒体である。
【０００７】
請求項２に係る本発明は、少なくとも一つの記憶部材を有し、前記記憶部材以外の場所に、画像形成装置内の搬送路に設けられた少なくとも一つの搬送部が有する少なくとも一つの搬送部材が通過するように構成されている記録媒体である。
【０００８】
請求項３に係る本発明は、少なくとも一つの記憶部材を有し、前記記憶部材は、画像形成装置内の搬送路に設けられた少なくとも一つの搬送部が有する複数の搬送部材の間を通過する位置に設けられている記録媒体である。
【０００９】
請求項４に係る本発明は、前記記憶部材は、第１粘着層を有する一方の基材と、前記第１粘着層と張り合わされる第２粘着層を有する他方の基材と、の前記第１粘着層と前記第２粘着層の間に配置されており、少なくとも前記記憶部材を囲むように前記一方の基材側から前記第２粘着部までの深さの切り込みが形成され、搬送方向に対して直交する方向であって、前記切り込みと前記記憶部材の距離が短い側の前記切り込みを挟んで前記記憶部材とは反対側には、前記記憶部材が前記搬送路に搬送される位置を調整するあらかじめ定められた面積の幅広部が設けられている請求項１乃至３のいずれかに記載の記録媒体である。
【００１０】
請求項５に係る本発明は、前記幅広部は、前記搬送方向に対して直交する方向であって、前記記憶部材と前記切り込みとの距離が離れている側の前記切り込みを挟んで前記記憶部材とは反対側の面積に比べて、広くなっている請求項４に記載の記録媒体である。
【００１１】
請求項６に係る本発明は、前記搬送部は、前記搬送路に設けられたうちの少なくとも前記記憶部材が前記搬送部材から搬送中に１０．０ｋｇｆを超える押圧力を受ける場合のものである請求項１乃至５のいずれかに記載の記録媒体である。
【００１２】
請求項７に係る本発明は、画像形成装置本体と、記憶部材を有する記録媒体が搬送される搬送路と、前記搬送路に設けられた少なくとも一つの搬送部材を有する少なくとも一つの搬送部と、を有し、前記記録媒体が搬送される場合に、前記記憶部材は、前記搬送部材と接触しないような構成とされている画像形成装置である。
【００１３】
請求項８に係る本発明は、画像形成装置本体と、記憶部材を有する記録媒体が搬送される搬送路と、前記搬送路に設けられた少なくとも一つの搬送部材を有する少なくとも一つの搬送部と、を有し、前記記録媒体が搬送される場合に、前記記憶部材以外の場所を前記搬送部材が通過するような構成とされている画像形成装置である。
【００１４】
請求項９に係る本発明は、画像形成装置本体と、記憶部材を有する記録媒体が搬送される搬送路と、前記搬送路に設けられた複数の搬送部材を有する少なくとも一つの搬送部と、を有し、前記記録媒体が搬送される場合に、前記記憶部材は、前記搬送部材の間を通過するような構成とされている画像形成装置である。
【００１５】
請求項１０に係る本発明は、前記画像形成装置本体には、前記記録媒体が配置され、搬送路に送られる開閉装置が設けられており、前記開閉装置には、前記記録媒体の搬送方向に対して直交する方向の幅の中心位置と、搬送路の中心位置とを一致させる一対の案内部が設けられている請求項７乃至９のいずれかに記載の画像形成装置である。
【００１６】
請求項１１に係る本発明は、画像形成装置に設けられ、搬送路に送られる記録媒体が配置される開閉部材に前記記録媒体と共に配置され、前記記録媒体が有する少なくとも一つの記憶部材が、前記画像形成装置内の前記搬送路に設けられた少なくとも一つの搬送部が有する少なくとも一つの搬送部材と接触しない位置となるように、前記開閉部材に配置される位置を調整する案内部材である。
【００１７】
請求項１２に係る本発明は、画像形成装置本体と、記憶部材を有する記録媒体が搬送される搬送路と、前記搬送路に設けられた少なくとも一つの搬送部と前記搬送部が有する少なくとも一つの搬送部材と、を有し、前記画像形成装置本体には、前記記録媒体が案内部に挟まれて配置され、搬送路に送られる開閉装置を有し、前記開閉装置に前記記録媒体が配置される場合、前記記憶部材が前記搬送部材と接触しない位置に調整される案内部材が設けられる画像形成装置である。
【発明の効果】
【００１８】
請求項１に係る本発明によれば、記憶部材と搬送部材が接触する場合に比べて、記憶部材に大きな負荷がかかることを防止することができ破損等の不具合を防止することができる。
【００１９】
請求項２に係る本発明によれば、記憶部材の場所を搬送部材が通過する場合に比べて、記憶部材に大きな負荷がかかることを防止することができ破損等の不具合を防止することができる。
【００２０】
請求項３に係る本発明によれば、搬送部材の間を記憶部材が通過しない場合に比べて、記憶部材に大きな負荷がかかることを防止することができ破損等の不具合を防止することができる。
【００２１】
請求項４に係る本発明によれば、請求項１乃至３のいずれかに係る本発明の効果に加えて、幅広部が設けられていない場合に比べて、記憶部材が搬送路に搬送される位置の調整を容易に行うことができる。
【００２２】
請求項５に係る本発明によれば、請求項４に係る本発明の効果に加えて、記憶部材と切り込みとの距離が離れている側の切り込みを挟んで記憶部材とは反対側の面積に比べて、狭くなっている場合に比べて、記憶部材が搬送路に搬送される位置の調整を記憶部材が設けられる位置に対応して行うことができる。
【００２３】
請求項６に係る本発明によれば、請求項１乃至５のいずれかに係る本発明の効果に加えて、記憶部材が破損等の不具合を受けにくい１０．０ｋｇｆを超えない押圧力を受ける搬送部の搬送部材を省くことができ、記憶部材を設けることができる位置をより広くすることができる。
【００２４】
請求項７に係る本発明によれば、記憶部材と搬送部材が接触する場合に比べて、記憶部材に大きな負荷がかかることを防止することができ破損等の不具合が防止される画像形成装置を提供することができる。
【００２５】
請求項８に係る本発明によれば、記憶部材の場所を搬送部材が通過する場合に比べて、記憶部材に大きな負荷がかかることを防止することができ破損等の不具合が防止される画像形成装置を提供することができる。
【００２６】
請求項９に係る本発明によれば、搬送部材の間を記憶部材が通過しない場合に比べて、記憶部材に大きな負荷がかかることを防止することができ破損等の不具合が防止される画像形成装置を提供することができる。
【００２７】
請求項１０に係る本発明によれば、請求項７乃至９のいずれかに係る本発明の効果に加えて、開閉部材に案内部がない場合に比べて、記録媒体の記憶部材が搬送路を通過する位置の配置を容易に行うことができるようになる。
【００２８】
請求項１１に係る本発明によれば、開閉部材の案内部に案内部材を設けない場合に比べて、記録媒体の記憶部材が搬送路を通過する位置の配置を容易に行うことができ、記憶部材に大きな負荷がかかることを防止することができるようになる。
【００２９】
請求項１２に係る本発明によれば、開閉部材の案内部に案内部材を設けない場合に比べて、記録媒体の記憶部材が搬送路を通過する位置の配置が容易であり、記憶部材に大きな負荷がかかることが防止される画像形成装置を提供することができる。
【図面の簡単な説明】
【００３０】
【図１】各実施形態に共通する画像形成装置を示す側面断面図である。
【図２】実施形態１に係る記録媒体を示す平面図である。
【図３】実施形態１に係る記録媒体を示す断面図である。
【図４】実施形態１に係る記録媒体の搬送を説明する平面図である。
【図５】実施形態１に係る記録媒体との比較例を示す平面図である。
【図６】実施形態２に係る記録媒体を示す平面図である。
【図７】実施形態２に係る記録媒体の搬送を示す平面図である。
【図８】実施形態２に係る記録媒体との比較例を示す平面図である。
【図９】図９Ａは実施形態１に係る記録媒体の応用例１を示す平面図であり、図９Ｂは実施形態２に係る記録媒体の応用例２を示す平面図である。
【図１０】実施形態３に係る記録媒体の搬送を説明する平面図である。
【図１１】実施形態４に係る記録媒体の搬送を説明する平面図である。
【発明を実施するための形態】
【００３１】
以下、図面を参照して本発明の各実施形態を説明する。ただし、以下に示す実施形態は、それぞれ本発明の技術思想を具体化するための記録媒体、画像形成装置及び案内部材を例示するものであって、本発明をこれに特定することを意図するものではなく、特許請求の範囲に含まれるその他の実施形態のものにも等しく適応し得るものである。
【００３２】
［実施形態１］
まず、図１〜図５を参照して、実施形態１に係る画像形成装置１０及び記録媒体１００について説明する。実施形態１の画像形成装置１０は、図１に示すように、画像形成装置本体１２を有し、画像形成装置本体１２の側面（図１の左側）に、実施形態１に係る記録媒体１００が配置され、画像形成装置本体１２内に送られる開閉装置としての手差しユニット８０を有し、また、画像形成装置本体１２の内部に、実施形態１の記録媒体とは異なる記録紙等の他の記録媒体２００を供給する給紙ユニット１８と、記録媒体１００及び他の記録媒体２００に転写する画像を形成する画像形成手段１４と、定着装置３６とが搭載され、画像形成装置本体１２の上部に記録媒体１００及び他の記録媒体２００が排出される排出部１６を有し、これらを通過するように記録媒体１００及び他の記録媒体２００を搬送する搬送路５６が設けられている。（以下、実施形態１に係る記録媒体を単に記録媒体１００といい、実施形態１の記録媒体１００と異なる記録媒体を他の記録媒体２００という。また、記録媒体１００及び他の記録媒体２００をまとめて記録媒体１００、２００という場合がある。）なお、手差しユニット８０には、他の記録媒体２００を配置することもできるが、以下、手差しユニット８０には、実施形態１に係る記録媒体１００が配置された場合として説明する。
【００３３】
また、画像形成装置本体１２の手差しユニット８０は、開いた状態において画像形成装置本体１２内に手差しユニット８０側から供給される記録媒体１００が配置され（図１参照）、閉じた状態において画像形成装置本体１２の側面に収納されるようになっている（不図示）。
【００３４】
なお、手差しユニット８０には、記録媒体１００の大きさに応じて移動され、記録媒体１００の搬送方向に対して直交する両辺側を挟み込むことで支持し、記録媒体１００の搬送方向の中心位置と、後述する画像形成装置本体１２内の搬送路５６の搬送中心位置とが略一致するように配置させる案内部としての一対の手差し案内部９０が設けられている（図４参照）。
【００３５】
給紙ユニット１８は、他の記録媒体２００を積層した状態で収納する給紙カセット７８と、この給紙カセット７８に収納された最上位の他の記録媒体２００を抽出するピックアップロール５０と、抽出した他の記録媒体２００を画像形成手段１４に向けて供給する供給ロール５２と、他の記録媒体２００を捌き、画像形成手段１４に複数枚の他の記録媒体２００が重なった状態で搬送されることを防止するリタードロール５４とが設けられている。
【００３６】
画像形成手段１４は、例えば、イエロー（Ｙ）、マゼンタ（Ｍ）、シアン（Ｃ）、黒（Ｋ）の４色に対応する画像形成ユニット２０と、光書込み装置２２と、転写装置２４とにより構成されている。なお、画像形成ユニット２０及びこれらの構成要素は、形成する画像の色以外は同様の構成とされている。
【００３７】
画像形成ユニット２０は、それぞれ交換部材として用いられ、画像形成装置本体１２に対して着脱自在に設けられており、画像形成装置本体１２の後側（図１における右側）から順に、Ｙ、Ｍ、Ｃ、Ｋの順に並べられている。
【００３８】
画像形成ユニット２０は、例えばカラー画像を形成する電子写真方式のものである。画像形成ユニット２０はそれぞれ、画像形成ユニット本体２６を備え、画像形成ユニット本体２６内には、現像剤像を保持するドラム形状の像保持体２８と、この像保持体２８を一様に帯電する帯電ロールを備えた帯電手段としての帯電装置３０と、像保持体２８に書き込まれた潜像を現像剤（トナー）で現像する現像装置３２と、像保持体２８に残留する廃現像剤を例えば掻き取って清掃する清掃装置３４とが設けられている。
【００３９】
現像装置３２は、それぞれが収納するＹ、Ｍ、Ｃ、Ｋの現像剤を用いて、対応する像保持体２８に形成された潜像を現像する。
【００４０】
また、光書込み装置２２は潜像形成装置として用いられ、例えば走査型のレーザ露光装置からなり、像保持体２８のそれぞれの表面に潜像を形成する。なお、光書込み装置２２は、他の実施例としてＬＥＤや面発光レーザ等を用いることができる。
【００４１】
転写装置２４は、転写体として用いられる被転写部材３８と、一次転写装置として用いられる一次転写ロール４０と、二次転写装置として用いられる二次転写ロール４２と、清掃装置４４と、で構成されている。
【００４２】
被転写部材３８は、例えば無端状のベルト形状であり、５つの支持ロール４６ａ、４６ｂ、４６ｃ、４６ｄ、４６ｅによって、図１に矢印で示す方向に回転することができるように支持されている。また、支持ロール４６ａ、４６ｂ、４６ｃ、４６ｄ、４６ｅのうち少なくとも一つはモータ等の動力源（図示省略）に連結されており、この動力源からの駆動伝達を受けて回転することで、被転写部材３８が回転駆動するようになっている。
【００４３】
支持ロール４６ａは、二次転写ロール４２と対向するように配置され、この二次転写ロール４２のバックアップロールとして機能し、二次転写ロール４２と支持ロール４６ａとで挟まれる部分が二次転写位置となっている。
【００４４】
一次転写ロール４０は、それぞれに対応する現像装置３２により像保持体２８の表面に形成された現像剤像を、被転写部材３８に転写する。
【００４５】
また、二次転写ロール４２は、被転写部材３８に転写されたＹ、Ｍ、Ｃ、Ｋの現像剤像を、記録媒体１００、２００に対して転写する。
【００４６】
清掃装置４４は、二次転写ロール４２で記録媒体１００、２００に対して各色の現像剤像が転写された後に、被転写部材３８の表面に残留する各色の現像剤を掻き落とす掻き落とし部材４８を有する。そして、掻き落とし部材４８によって掻き落とされた現像剤は、清掃装置４４の本体内に回収される。
【００４７】
搬送路５６は、主搬送路５６ａと、反転搬送路５６ｂとにより構成されている。
【００４８】
主搬送路５６ａは、給紙ユニット１８又は手差しユニット８０から供給された記録媒体１００、２００を画像形成手段１４に搬送し、画像が形成された記録媒体１００、２００を排出部１６に排出する。
【００４９】
給紙ユニット１８から主搬送路５６ａに他の記録媒体２００が送られる場合は、搬送方向上流側から順に、ピックアップロール５０、供給ロール５２、リタードロール５４、レジストロール５８、転写装置２４、定着装置３６、及び排出ロール６０が配置されている。
【００５０】
ピックアップロール５０は、給紙ユニット１８の給紙カセット７８から他の記録媒体２００を送り出し、供給ロール５２及びリタードロール５４により、送り出された他の記録媒体２００が捌かれた後、主搬送路５６ａに導かれる。
【００５１】
一方、手差しユニット８０から主搬送路５６ａに記録媒体１００が送られる場合は、記録媒体１００は、搬送方向上流側の手差しユニット８０から手差しピックアップロール８２により送り出され、送り出された記録媒体１００が、手差し供給ロール８４及び手差しリタードロール８６により捌かれて、搬送ロール８８により主搬送路５６ａに導かれるようになっている。
【００５２】
なお、搬送部の一つとしての搬送ロール８８は、図４に示すように、搬送方向に対して直交する幅方向（以下、単に「搬送路の幅」ともいう。）よりも小さい幅であって、回転可能な搬送部材８８ａが主搬送路５６ａを挟んで少なくとも１つずつ、実施形態１では２つずつ設けられた構成となっている。そして、搬送ロール８８の各搬送部材８８ａが搬送される記録媒体１００を挟み、回転させることで、搬送が行われる。
【００５３】
また、搬送部の一つとしてのレジストロール５８は、給紙ユニット１８側から搬送されてきた記録媒体１００、２００の先端部を一時的に停止させ、画像形成されるタイミングと合致するように記録媒体１００、２００を転写装置２４に向けて送り出すようにされている。
【００５４】
また、レジストロール５８は、図４に示すように、搬送路の幅よりも小さい幅であって、回転可能な搬送部材５８ａが主搬送路５６ａを挟んで少なくとも１つずつ、実施形態１では４つずつ設けられた構成となっている。そして、レジストロール５８の各搬送部材５８ａが搬送される記録媒体１００、２００を挟み、回転させることで、送り出しが行われる。
【００５５】
定着装置３６は、加熱部としての加熱ロール６６及び加圧部７６を有し、これら加熱ロール６６と加圧部７６との間を通過する記録媒体１００、２００を加熱し、加圧することで、記録媒体１００、２００に現像剤像が定着される。
【００５６】
排出ロール６０は、定着装置３６により現像剤が定着された記録媒体１００、２００を、排出部１６に排出される。
【００５７】
また、反転搬送路５６ｂは、一方の面に現像剤像が形成された他の記録媒体２００を反転させつつ、再び画像形成手段１４に向けて供給する搬送路であり、反転搬送路５６ｂには、例えば二つの反転搬送ロール６２ａ、６２ｂが配置されている。
【００５８】
そして、他の記録媒体２００が主搬送路５６ａから排出ロール６０に搬送され、この他の記録媒体２００の後端部が排出ロール６０に挟みこまれた状態でこの排出ロール６０が逆回転することで、他の記録媒体２００が反転搬送路５６ｂに供給される。反転搬送路５６ｂに供給された他の記録媒体２００は、反転搬送ロール６２ａ、６２ｂによって、レジストロール５８の上流の位置へと搬送される。
【００５９】
なお、実施形態１の搬送部として、主に、搬送ロール８８及びレジストロール５８を説明しているが、これに限らず、手差しユニット８０側から主搬送路５６ａを通り排出されるまでの、手差しピックアップロール８２、手差し供給ロール８４、手差しリタードロール８６、排出ロール６０が挙げられる。また、給紙ユニット１８側のピックアップロール５０、供給ロール５２及びリタードロール５４を含むようにしてもよい。
【００６０】
次に、図２〜図５を参照して、実施形態１の記録媒体１００について説明する。
【００６１】
実施形態１の記録媒体１００は、長手側と短手側とを有する長方形状であって、少なくとも一つ、例えば２つの回路装置１０２を間に挟み、一方側に、回路装置１０２側から順に、一方の基材としての第１粘着層１１２と、例えば、樹脂材料で形成された基材層１１０と、画像が形成される塗工層１０８とを有し、他方側には、回路装置１０２側から順に、他方の基材としての第２粘着層１１４と、前記第２粘着層１１４が塗布され、且つ、第２粘着層１１４の着脱が可能な面を有する剥離部材としての剥離紙１１６とが積層されて構成されている。このとき、回路装置１０２を挟んで、一方側の第１粘着層１１２と他方側の第２粘着層１１４とが貼り合わされた構成となっている。以下、塗工層１０８側を表面といい、剥離紙１１６側を裏面という場合がある。なお、図２では、説明のため、表面側から回路装置１０２が見えるように示している。
【００６２】
なお、記録媒体の画像が形成される側は、基材層に塗工層を設けた場合に限らず、画像形成可能な紙材等を用いてもよい。
【００６３】
また、回路装置１０２は、各種の情報や記録等のデータが記憶されたＩＣ（Integrated circuit）等の記憶部材１０４と、記憶部材１０４に繋がれたデータの送受信が行われる複数の金属製の配線が巻回されたコイル状の送受信部１０６を有している。なお、送受信部１０６は、相手方からの電波を受信することで起電力を発生する部分ともなっている。
【００６４】
また、実施形態１の記録媒体１００は、回路装置１０２を含む所定の範囲を囲むように切り込み１１８が形成されている。この切り込み１１８は、記録媒体１００の一方側の画像が形成される塗工層１０８側から切込まれており、他方側の第２粘着層１１４まで切り込まれている。なお、剥離紙１１６は、切り込まれていない。このとき、実施形態１の記録媒体１００では、一枚の記録媒体１００の２か所に長方形状に囲まれた切り込み１１８が形成され、この切り込み１１８で囲まれた部分がそれぞれ剥離される剥離部１２４となる。なお、実施形態１では、切り込み１１８は、記録媒体１００が画像形成装置本体１２内に送られる方向が長手方向となる長方形状に形成されている。
【００６５】
また、記録媒体１００の短手方向において、切り込み１１８で囲まれた剥離部１２４を略２分割する位置に、ミシン目１２０がそれぞれ形成されている。このとき、回路装置１０２は、このミシン目１２０で分割された剥離部１２４のうちの一方側に配置されるようになる。
【００６６】
また、切り込み１１８で囲まれた剥離部１２４は、互に隙間が設けられており、その間には、縦ミシン目１２２が設けられている。この縦ミシン目１２２は、記録媒体１００の長手側の略中心位置であって、搬送方向に沿って形成されており、記録媒体１００を略２等分するように設けられている。
【００６７】
また、実施形態１の記録媒体１００では、各剥離部１２４に設けられた回路装置１０２が有する記憶部材１０４は、記録媒体１００が画像形成装置１０で画像が形成される場合いにおいて、画像形成装置本体１２内を搬送する各搬送部、例えば、搬送ロール８８及びレジストロール５８に設けられた各搬送部材８８ａ、５８ａを避け、接触しない位置に設けられている。
【００６８】
すなわち、回路装置１０２が形成された記録媒体１００は、画像形成装置１０において画像が形成される場合に、画像形成装置本体１２内の搬送路５６を搬送される場合に搬送ロール８８及びレジストロール５８の各搬送部材８８ａ、５８ａの間を通過することで押圧され、このときに受ける大きな押圧力により回路装置１０２の記憶部材１０４に破損等の不具合が発生するおそれがある。例えば、図５に示す記録媒体３００では、後述する幅広部１２６が設けられていないため、記憶部材１０４が搬送部としての搬送ロール８８の搬送部材８８ａと接触する位置となり、搬送部材８８ａから押圧されることで、不具合を生じるおそれがある。
【００６９】
そのため、実施形態１の記録媒体１００は、記録媒体１００の記憶部材１０４の不具合を防止するために、各搬送部、実施形態１では後述する搬送ロール８８及びレジストロール５８の各搬送部材８８ａ、５８ａを避け、接触しない位置となるように構成されている。
【００７０】
なお、実施形態１では、記録媒体１００の記憶部材１０４が設けられる位置は、記録媒体１００に回路装置１０２が設けられる剥離部１２４が形成される位置を調整することで、記憶部材１０４が各搬送部材８８ａ、５８ａを避けるようにされている。
【００７１】
まず、実施形態１の記録媒体１００では、記憶部材１０４は、各剥離部１２４に対して、図２に示すように表面から見た場合、各剥離部１２４の中心部分より左側に設けられている。
【００７２】
また、記録媒体１００において、各剥離部１２４は、図２に示すように表面から見た場合、記録媒体１００の縦ミシン目１２２に区切られた左側の一方の記録媒体１００ａ及び右側の他方の記録媒体１００ｂに分けた場合、一方の記録媒体１００ａ及他方の記録媒体１００ｂの各剥離部１２４は、一方の記録媒体１００ａ及他方の記録媒体１００ｂの中心部より左側にずれた位置に形成されている。すなわち、実施形態１の記録媒体１００では、一方の記録媒体１００ａと他方の記録媒体１００ｂとは同じ構成となっている。
【００７３】
そのため、一方の記録媒体１００ａでは、剥離部１２４の右側、すなわち縦ミシン目１２２側に所定面積の余白としての幅広部１２６が設けられており、また、他方の記録媒体１００ｂでは、剥離部１２４の右側、すなわち縦ミシン目１２２とは反対側に、一方の記録媒体１００ａに形成された幅広部１２６と略同じ面積の余白としての幅広部１２６が設けられている。
【００７４】
なお、幅広部１２６は、記録媒体１００の搬送方向に対して直交する方向であって、切り込み１１８と記憶部材１０４の距離が短い側の切り込み１１８を挟んで記憶部材１０４とは反対側には、あらかじめ定められた面積で設けられている。このとき、幅広部１２６は、搬送方向に対して直交する方向であって、前記記憶部材１０４と切り込み１１８との距離が離れている側の切り込み１１８を挟んで記憶部材１０４とは反対側の面積に比べて、広くなっている。
【００７５】
また、幅広部１２６は、記録媒体１００が手差しユニット８０に配置されたのち、画像形成装置本体１２内に搬送される場合に、手差しユニット８０の手差し案内部９０に挟まれて支持されることで、記憶部材１０４が搬送路５６に搬送される位置が調整されるようになる。なお、実施形態１では、記録媒体１００の搬送方向の略中心部分となる縦ミシン目１２２と、搬送路５６の搬送中心位置とが略一致するように調整されるようになっている（図４参照）。
【００７６】
また、記憶部材１０４が設けられる具体的な位置としては、実施形態１の記録媒体１００では、記録媒体１００が画像形成装置１０の搬送路５６を搬送される場合において、各搬送部のうち、例えば、搬送ロール８８及びレジストロール５８の各搬送部材８８ａ、５８ａと接しない位置となるように形成されている。なお、各搬送部材８８ａ、５８ａは、記録媒体１００が搬送される場合に、記録媒体１００の記憶部材１０４以外の場所を通過するような構成とされている。
【００７７】
なお、実施形態１では、記録媒体１００の記憶部材１０４と接触することを避ける必要がある搬送部として、搬送ロール８８及びレジストロール５８を説明しているが、これは、画像形成装置本体１２内の各搬送部において、記録媒体１００の搬送時において、記録媒体１００を挟み込む押圧力が大きく（例えば、押圧力が１０．０ｋｇｆを超える場合）、挟まれた記憶部材１０４が破損したり、記憶部材１０４を繋ぐ部分の回路配線が破断したり等の不具合が生じるおそれがあるためである。
【００７８】
次に、主に図１、図４を参照して、実施形態１にかかる画像形成装置１０による記録媒体１００の搬送について説明する。実施形態１の記録媒体１００は、上述したように、回路装置１０２が設けられており、この回路装置１０２には、画像形成装置本体１２の主搬送路５６ａ内の搬送ロール８８及びレジストロール５８の各搬送部材８８ａ、５８ａと接触しないように記憶部材１０４が設けられている。
【００７９】
また、上述したように、搬送ロール８８及びレジストロール５８は、図４に示すように、複数の搬送部材８８ａ、５８ａが所定の間隔を有するようにそれぞれ構成されている。
【００８０】
すなわち、搬送ロール８８は、搬送方向に対して、略中央部分が所定の距離離れた状態であって、記録媒体１００が搬送される中央部分を挟んで一つずつ、２つの搬送部材８８ａがそれぞれ搬送路を挟むように合計４つ設けられている。
【００８１】
また、レジストロール５８は、搬送方向に対して、略中央部分が所定の距離離れた状態であって、記録媒体１００が搬送される中央部分を挟んで所定の距離置いて２つずつ、４つの搬送部材５８ａがそれぞれ搬送路を挟むように合計８つ設けられている。
【００８２】
そして、記録媒体１００の記憶部材１０４は、搬送路５６を搬送される場合に、これらの搬送ロール８８及びレジストロール５８の各搬送部材８８ａ、５８ａと接触しない位置となるように設けられている。すなわち、各搬送部材８８ａ、５８ａは記録媒体１００の記憶部材１０４が設けられていない部分と接触されるようになる。
【００８３】
実施形態１の記録媒体１００に画像形成装置１０で画像を形成する場合は、まず、手差しユニット８０に記録媒体１００を配置させる。記録媒体１００の配置の仕方は、記録媒体１００の両辺側が手差しユニット８０の手差し案内部９０に支持されるように、手差し案内部９０を移動させて、記録媒体１００の中心位置と、搬送路５６の搬送中心位置を略一致させた状態とする。なお、搬送中心位置は、搬送ロール８８及びレジストロール５８の中心位置とすることができる。
【００８４】
また、記録媒体１００を配置させる向きは、剥離紙１１６が上側となり、記録媒体１００の画像が形成される塗工層１０８が下側、すなわち、手差しユニット８０側を向くように配置させる。このとき、記録媒体１００の塗工層１０８が下方に配置されることで、記録媒体１００に形成された切り込み１１８も下向きに配置されるようになる。
【００８５】
そのため、図４に示すように搬送路５６に送られる場合の記録媒体１００は、図２に示した状態から表裏が反対となるように配置されるようになる。
【００８６】
このとき、実施形態１の記録媒体１００に設けられた回路装置１０２の記憶部材１０４は、主搬送路５６ａにおいて大きな押圧力を受ける搬送ロール８８及びレジストロール５８の搬送部材８８ａ、５８ａと接しない位置となる。
【００８７】
また、実施形態１の記録媒体１００において、搬送される向きは、剥離部１２４の記憶部材１０４が設けられた側を搬送路５６側に配置している。なお、これの限らず、記憶部材１０４が設けられていない側を搬送路５６側に配置してもよいが、いずれの場合も、記録媒体１００の記憶部材１０４は、搬送ロール８８及びレジストロール５８の各搬送部材８８ａ、５８ａと接しない位置となっている。
【００８８】
また、記録媒体１００が搬送される向きを指定する場合は、矢印等の印１３０を設けるようにしてもよい。この印１３０は、手差しユニット８０に画像が形成される塗工層１０８が下向きにして配置されるため、記録媒体１００の画像が形成される塗工層１０８とは、反対の剥離紙１１６側の面に形成される。
【００８９】
手差しユニット８０に配置された記録媒体１００は、手差しユニット８０から画像形成装置本体１２内に送られる。この送りにより、記録媒体１００は、手差しピックアップロール８２で送り出され、手差し供給ロール８４及び手差しリタードロール８６により捌かれて、搬送ロール８８により主搬送路５６ａに導かれる。
【００９０】
このとき、記録媒体１００の記憶部材１０４は、搬送ロール８８の各搬送部材８８ａに接しないように通過される。すなわち、主搬送路５６ａの搬送ロール８８においては、図４に示すように、記録媒体１００の記憶部材１０４が設けられた位置は、搬送ロール８８の各搬送部材８８ａに対して、搬送中心位置とは反対側の外側を通過するようになる。
【００９１】
また、主搬送路５６ａに導かれた記録媒体１００は、レジストロール５８において、記録媒体１００の先端部を一時的に停止させ、画像形成されるタイミングと合致するように記録媒体１００を転写装置２４に向けて送り出されるようになる。
【００９２】
このとき、記録媒体１００の記憶部材１０４は、レジストロール５８の各搬送部材５８ａに接しないように通過される。すなわち、主搬送路５６ａのレジストロール５８においては、図４に示すように、記録媒体１００の記憶部材１０４が設けられた位置は、レジストロール５８の各搬送部材５８ａの間を通過するようになる。
【００９３】
その後、記録媒体１００は、上述のように画像が形成された後、排出部１６に排出され、画像形成が完了する。
【００９４】
以上より、実施形態１では、記録媒体１００に幅広部１２６が設けられていることで記憶部材１０４を主搬送路５６ａの搬送ロール８８及びレジストロール５８の各搬送部材８８ａ、５８ａと接触しない位置に設けることができるようになり、記憶部材１０４の破損等の不具合を防止することができるようになる。
【００９５】
なお、実施形態１では、記録媒体１００の記憶部材１０４は、搬送ロール８８及びレジストロール５８の各搬送部材８８ａ、５８ａに接しない位置に設けるような構成としたが、これに限らず、手差しピックアップロール８２、手差し供給ロール８４、手差しリタードロール８６及び排出ロール６０等が有する各搬送部材の一部又はすべてと接しないような位置に設けるようにしてもよい。これらは、押圧力が搬送ロール８８及びレジストロール５８より弱く、押圧されても記憶部材１０４に不具合が生じ難いが、記憶部材１０４と接触しないようにすることで、より記憶部材１０４への不具合の発生を防止することができるようになる。
【００９６】
また、実施形態１では、記録媒体１００の記憶部材１０４に不具合を生じる押圧力として、１０．０ｋｇｆを超える場合として、搬送ロール８８及びレジストロール５８としているが、これに限らず、不具合を生じるおそれのある押圧力を有する搬送部として、この搬送部が有する搬送部材と接触しないような構成としてもよい。
［実施形態２］
次に、図１、図６〜図８を参照して、実施形態２の画像形成装置１０及び記録媒体１００Ａについて説明する。実施形態１の記録媒体１００は、図２に示すように、回路装置１０２が設けられた剥離部１２４が１枚の記録媒体１００に２つ形成された場合を説明したが、実施形態２の記録媒体１００Ａは、図６に示すように、一枚の記録媒体１００Ａに１つの剥離部１２４を形成するようにしている。なお、実施形態２の画像形成装置１０及び記録媒体１００Ａは、実施形態１の画像形成装置１０及び記録媒体１００Ａと共通する構成については同一の符号を付し、詳細な説明は省略する。
【００９７】
実施形態２の記録媒体１００Ａは、図６に示すように、実施形態１の記録媒体１００において、縦ミシン目１２２を挟んで一方の記録媒体１００ａ又は他方の記録媒体１００ｂと同じ構成となっている。すなわち、実施形態１の記録媒体１００の一方の記録媒体１００ａ又は他方の記録媒体１００ｂを縦ミシン目１２２で破断させて分断して２枚としたうちの１枚の状態が、実施形態２の記録媒体１００Ａとなる。そのため、実施形態２の記録媒体１００Ａは、実施形態１の記録媒体１００の例えば、一方の記録媒体１００ａと共通する構成となっている。なお、実施形態２の記録媒体１００Ａについての詳細な説明は省略する。
【００９８】
次に、主に図１、図７を参照して、実施形態２にかかる記録媒体１００Ａの画像形成装置１０による搬送について説明する。なお、実施形態２の画像形成装置１０は、実施形態１の画像形成装置１０と共通するので、詳細な説明は省略する。
【００９９】
また、実施形態２の記録媒体１００Ａは、上述したように、実施形態１の記録媒体１００に比べて全体の大きさが小さくなっている。そのため、実施形態２の記録媒体１００Ａの記憶部材１０４と、実施形態１の記録媒体１００の記憶部材１０４とでは、画像形成装置本体１２の搬送路５６を通過する位置が異なっている（図４、図７参照）。
【０１００】
しかしながら、実施形態２の記録媒体１００Ａは、剥離部１２４の記憶部材１０４が形成された側に、幅広部１２６が設けられていることで、手差しユニット８０に配置された場合、手差し案内部９０に支持された状態において、記憶部材１０４は、略中心部分に配置されるようになる（図７参照）。
【０１０１】
実施形態２の記録媒体１００Ａに画像形成装置１０で画像を形成する場合は、実施形態１と同様に、手差しユニット８０に記録媒体１００Ａを配置させる。記録媒体１００Ａの配置の仕方は、記録媒体１００Ａの両辺側が手差しユニット８０の手差し案内部９０に支持されるように、手差し案内部９０を移動させて、記録媒体１００Ａの中心位置と、搬送路５６の搬送中心位置を略一致させた状態とする（図７参照）。
【０１０２】
また、記録媒体１００Ａを配置させる向き及び方向は、実施形態１の場合と共通し、実施形態２の記録媒体１００Ａに設けられた回路装置１０２の記憶部材１０４が、主搬送路５６ａにおいて大きな押圧力を受ける搬送ロール８８及びレジストロール５８の各搬送部材８８ａ、５８ａと接しない位置となっている。
【０１０３】
すなわち、実施形態１の記録媒体１００と同様に、回路装置１０２が形成された実施形態２の記録媒体１００Ａは、画像形成装置１０において画像が形成される場合に、画像形成装置本体１２内の搬送路５６を搬送される場合に搬送ロール８８及びレジストロール５８の各搬送部材８８ａ、５８ａの間を通過することで押圧され、このときに受ける大きな押圧力により回路装置１０２の記憶部材１０４に破損等の不具合が発生するおそれがある。例えば、図８に示すように幅広部１２６が設けられていない記録媒体４００では、記憶部材１０４が搬送部としての搬送ロール８８の搬送部材８８ａの一部と接触する位置となり、搬送部材８８ａから押圧されることで、不具合を生じるおそれがある。
【０１０４】
そのため、実施形態２の記録媒体１００Ａにおいても、記録媒体１００Ａの記憶部材１０４の不具合を防止するために、搬送ロール８８及びレジストロール５８の各搬送部材８８ａ、５８ａを避け、接触しない位置となるように構成されている。
【０１０５】
また、手差しユニット８０に配置された記録媒体１００Ａは、手差しユニット８０から画像形成装置本体１２内に送られる。この送りにより、記録媒体１００Ａは、手差しピックアップロール８２で送り出され、手差し供給ロール８４及び手差しリタードロール８６により捌かれて、搬送ロール８８により主搬送路５６ａに導かれる。
【０１０６】
このとき、記録媒体１００Ａの記憶部材１０４は、搬送ロール８８の各搬送部材８８ａに接しないように通過される。すなわち、主搬送路５６ａの搬送ロール８８においては、図７に示すように、記録媒体１００Ａの記憶部材１０４が設けられた位置は、搬送ロール８８の中央部分の各搬送部材８８ａの間を通過するようになる。
【０１０７】
また、主搬送路５６ａに導かれた記録媒体１００Ａは、レジストロール５８において、記録媒体１００Ａの先端部を一時的に停止させ、画像形成されるタイミングと合致するように記録媒体１００Ａを転写装置２４に向けて送り出されるようになる。
【０１０８】
このとき、記録媒体１００Ａの記憶部材１０４は、レジストロール５８の各搬送部材５８ａに接しないように通過される。すなわち、主搬送路５６ａのレジストロール５８においては、図７に示すように、記録媒体１００Ａの記憶部材１０４が設けられた位置は、レジストロール５８の中央部分の各搬送部材５８ａの間を通過するようになる。
【０１０９】
その後、記録媒体１００Ａは、上述のように画像が形成された後、排出部１６に排出され、画像形成が完了する。
【０１１０】
以上より、実施形態２では、記録媒体１００Ａに幅広部１２６が設けられることで、記憶部材１０４を主搬送路５６ａの搬送ロール８８及びレジストロール５８の各搬送部材８８ａ、５８ａと接触しない位置に設ける構成とすることで、記憶部材１０４の破損等の不具合を防止することができるようになる。
【０１１１】
なお、実施形態２においても、記録媒体１００Ａの記憶部材１０４は、搬送ロール８８及びレジストロール５８の各搬送部材８８ａ、５８ａに接しない位置に設けるような構成としたが、これに限らず、手差しピックアップロール８２、手差し供給ロール８４、手差しリタードロール８６及び排出ロール６０等が有する各搬送部材の一部又はすべてと接しないような位置に設けるようにしてもよい。
【０１１２】
［応用例１、２］
実施形態１及び２の記録媒体１００、１００Ａは、剥離部１２４において、回路装置１０２が形成される部分と、回路装置１０２が形成されない部分とで構成されているが（図２、図６参照）、これに限らず、図９Ａに示す応用例１の記録媒体１００’及び、図９Ｂに示す応用例２の記録媒体１００Ａ’のように、各記録媒体１００’、１００Ａ’の剥離部１２４を、回路装置１０２が形成された部分のみで構成するようにしてもよい。
【０１１３】
すなわち、応用例１の記録媒体１００’は、図９Ａに示すように、実施形態１の記録媒体１００と同様に一枚の記録媒体１００’に２つの記憶部材１０４を有する回路装置１０２を設けたものであって、剥離部１２４に回路装置１０２が形成された部分のみとなっている。
【０１１４】
また、応用例２の記録媒体１００Ａ’は、図９Ｂに示すように、実施形態２の記録媒体１００Ａと同様に一枚の記録媒体１００Ａ’に１つの記憶部材１０４を有する回路装置１０２を設けたものであって、剥離部１２４に回路装置１０２が形成された部分のみとなっている。
【０１１５】
そして、応用例１，２の記録媒体１００’、１００Ａ’においても、幅広部１２６がそれぞれ設けられることで、回路装置１０２の記憶部材１０４の形成される位置は実施形態１及び２と同様に、記録媒体１００’、１００Ａ’の記憶部材１０４が搬送ロール８８及びレジストロール５８の各搬送部材８８ａ、５８ａとの接触を避けることができる位置に配置させることができるようになり、記憶部材の不具合を防止することができる。
【０１１６】
［実施形態３］
次に、主に図１、図１０を参照して実施形態３の画像形成装置１０及び記録媒体１００Ｂ並びに案内部材１４０Ｂについて説明する。実施形態１では、図４に示すように、記録媒体１００の記憶部材１０４が画像形成装置本体１２内の主搬送路５６ａの搬送ロール８８及びレジストロール５８の各搬送部材８８ａ、５８ａと接触しない位置で搬送されるようにするために、記録媒体１００に幅広部１２６を設けることで手差しユニット８０に配置される際に搬送の位置が調整されるようになっている。一方、実施形態３では、図１０に示すように、記録媒体１００Ｂに幅広部１２６を設けず、画像形成装置本体１２の手差しユニット８０に記録媒体１００Ｂを配置する場合に、主搬送路５６ａの搬送ロール８８及びレジストロール５８の各搬送部材８８ａ、５８ａと接しない位置となるように配置位置を調整することができる案内部材１４０Ｂを設ける場合について説明する。
【０１１７】
なお、実施形態３の画像形成装置１０及び記録媒体１００Ｂは、実施形態１の画像形成装置１０及び記録媒体１００と共通する構成については同じ符号を付し、詳細な説明は省略する。
【０１１８】
実施形態３の記録媒体１００Ｂは、図１０に示すように、実施形態１の記録媒体１００と同様の構成となっているが、幅広部１２６が設けられていない点が異なっており、実施形態１の記録媒体１００に比べて、長手側が短くなっている。すなわち、実施形態１の記録媒体１００と比べて、一方の記録媒体１００ａ側の切れ込み１１８と縦ミシン目１２２の間及び他方の記録媒体１００ｂの縦ミシン目１２２とは反対側の切れ込み１１８との間がそれぞれ狭くなっている。また、実施形態３の記録媒体１００Ｂは、実施形態１の応用例１の記録媒体１００’のように、回路装置１０２が設けられた部分のみの構成となっている。なお、実施形態３の記録媒体１００Ｂの他の構成は実施形態１の記録媒体１００と共通するので詳細な説明は省略する。
【０１１９】
そのため、実施形態３の記録媒体１００Ｂを、そのまま手差しユニット８０に配置し、手差し案内部９０で支持し、記録媒体１００Ｂの中心位置と搬送路５６の搬送中心位置とを略一致させた状態で搬送すると、記録媒体１００Ｂの記憶部材１０４が搬送ロール８８及びレジストロール５８の各搬送部材８８ａ、５８ａのいずれかに押圧される位置を通過することとなり、記憶部材１０４に不具合が生じるおそれがある。
【０１２０】
そこで、実施形態３では、手差しユニット８０に記録媒体１００Ｂを配置させる場合に、記録媒体１００Ｂと共に、案内部材１４０Ｂを並べて配置し、この案内部材１４０Ｂと共に記録媒体１００Ｂを手差し案内部９０で挟み込み、支持することで、記録媒体１００Ｂの中心位置と搬送路５６の搬送中心位置とは一致しないようになるが、主搬送路５６ａの搬送ロール８８及びレジストロール５８の各搬送部材８８ａ、５８ａと接触しない位置に配置することができるようになる。
【０１２１】
なお、この案内部材１４０Ｂは、予め定められた幅を有し、記録媒体１００Ｂの記憶部材１０４が搬送路５６の搬送ロール８８及びレジストロール５８の各搬送部材８８ａ、５８ａと接しない位置に記録媒体１００Ｂを配置することができる大きさの略直方体状のブロック体で形成されている（図１０参照）。
【０１２２】
また、実施形態３の記録媒体１００Ｂに画像形成装置１０で画像を形成する場合は、まず、手差しユニット８０に記録媒体１００Ｂを配置させる。記録媒体１００Ｂの配置の仕方は、手差しユニット８０の手差し案内部９０のいずれか一方側、実施形態３では、図１０に示す左側に案内部材１４０Ｂが当接されて支持されると共に、手差し案内部９０の他方側に記録媒体１００Ｂが当接されて支持されるようにそれぞれ配置させる。
【０１２３】
これは、実施形態３の記録媒体１００Ｂの記憶部材１０４が搬送ロール８８及びレジストロール５８の各搬送部材８８ａ、５８ａと接触しないように配置させるためであり、案内部材１４０Ｂと記録媒体１００Ｂが手差しユニット８０に反対に配置されると、記録媒体１００Ｂの記憶部材１０４が搬送ロール８８及びレジストロール５８の各搬送部材８８ａ、５８ａと接触されるおそれがある。また、このとき、記録媒体１００Ｂの中心位置（縦ミシン目１２２）と搬送路５６の搬送中心位置とが一致しないようになる。
【０１２４】
また、記録媒体１００Ｂが搬送される向き及び方向を明確にするために、矢印等の印１３０を設けるようにしてもよい。この印１３０は、手差しユニット８０に画像が形成される塗工層１０８が下向きにして配置されるため、記録媒体１００Ｂの画像が形成される塗工層１０８とは、反対の剥離紙１１６側の面に形成される。
【０１２５】
また、手差しユニット８０に配置された記録媒体１００Ｂは、実施形態１の記録媒体１００と同様に、手差しユニット８０から画像形成装置本体１２内に送られる。この送りにより、記録媒体１００Ｂは、手差しピックアップロール８２で送り出され、手差し供給ロール８４及び手差しリタードロール８６により捌かれて、搬送ロール８８により主搬送路５６ａに導かれる。
【０１２６】
このとき、記録媒体１００Ｂの記憶部材１０４は、搬送ロール８８の各搬送部材８８ａに接しないように通過される。すなわち、主搬送路５６ａの搬送ロール８８においては、図１０に示すように、記録媒体１００Ｂの記憶部材１０４が設けられた位置は、搬送ロール８８の各搬送部材８８ａに対して、搬送中心位置とは反対側の外側を通過するようになる。
【０１２７】
また、主搬送路５６ａに導かれた記録媒体１００Ｂは、レジストロール５８において、記録媒体１００Ｂの先端部を一時的に停止させ、画像形成されるタイミングと合致するように記録媒体１００Ｂを転写装置２４に向けて送り出されるようになる。
【０１２８】
このとき、記録媒体１００Ｂの記憶部材１０４は、レジストロール５８の各搬送部材５８ａに接しないように通過される。すなわち、主搬送路５６ａのレジストロール５８においては、図１０に示すように、記録媒体１００Ｂの記憶部材１０４が設けられた位置は、レジストロール５８の各搬送部材５８ａの間を通過するようになる。
【０１２９】
その後、記録媒体１００Ｂは、上述のように画像が形成された後、排出部１６に排出され、画像形成が完了する。
【０１３０】
以上より、実施形態３では、幅広部を有しない記録媒体１００Ｂであっても、手差しユニット８０に配置させる場合に、案内部材１４０Ｂと共に設けることで、記録媒体１００Ｂの記憶部材１０４を主搬送路５６ａの搬送ロール８８及びレジストロール５８の各搬送部材８８ａ、５８ａと接触しない位置に配置させることができ、記憶部材１０４の破損等の不具合を防止することができるようになる。
【０１３１】
また、実施形態３では、記録媒体１００Ｂの剥離部１２４に回路装置１０２のみが設けられた場合について示しているが、これに限らず、実施形態１のように、回路装置１０２が設けられた部分と、回路装置１０２が設けられていない部分とをミシン目１２０により繋がれたものとすることができる。
【０１３２】
［実施形態４］
次に、主に図１、図１１を参照して実施形態４にかかる画像形成装置１０及び記録媒体１００Ｃ並びに案内部材１４０Ｃについて説明する。実施形態３の記録媒体１００Ｂでは、実施形態１の記録媒体１００のように２つの回路装置１０２が設けられた場合であって、案内部材１４０Ｂを設けた場合について説明したが、実施形態４の記録媒体１００Ｃでは、実施形態２の記録媒体１００Ａのように１つの回路装置１０２が設けられた場合であって、案内部材１４０Ｃを設ける場合について説明する。なお、実施形態４の画像形成装置１０及び記録媒体１００Ｃは、実施形態１の画像形成装置１０及び実施形態１〜３の記録媒体１００、１００Ａ、１００Ｂと共通する構成については同じ符号を付し、詳細な説明は省略する。
【０１３３】
実施形態４の記録媒体１００Ｃは、図１１に示すように、実施形態２の記録媒体１００Ｂと同様の構成となっているが、幅広部１２６が設けられていない点が異なっており、実施形態２の記録媒体１００Ａに比べて、長手側が短くなっている。また、実施形態４の記録媒体１００は、実施形態３の記録媒体１００Ｂにおいて、縦ミシン目１２２を挟んで一方の記録媒体１００Ｂａ又は他方の記録媒体１００Ｂｂと同じ構成となっている。
【０１３４】
すなわち、実施形態３の記録媒体１００Ｂの一方の記録媒体１００Ｂａ又は他方の記録媒体１００Ｂｂを縦ミシン目１２２で破断させて分断して２枚としたうちの１枚の状態が、実施形態４の記録媒体１００Ｃとなる。そのため、実施形態４の記録媒体１００Ｃは、実施形態３の記録媒体１００Ｂの例えば、一方の記録媒体１００Ｂａと共通する構成となっている。また、実施形態４の記録媒体１００Ｃは、実施形態２の応用例２の記録媒体１００Ａ’のように、回路装置１０２が設けられた部分のみの構成となっている。なお、実施形態４の記録媒体１００Ｃについての詳細な説明は省略する。
【０１３５】
また、実施形態４では、手差しユニット８０に記録媒体１００Ｃを配置させる場合に、実施形態３と同様に、記録媒体１００Ｃと共に、案内部材１４０Ｃを並べて配置し、この案内部材１４０Ｃと共に記録媒体１００Ｃを手差し案内部９０で支持することで、主搬送路５６ａの搬送ロール８８及びレジストロール５８の各搬送部材８８ａ、５８ａと接触しない位置に配置されるようになる。
【０１３６】
なお、この案内部材１４０Ｃは、予め定められた幅を有し、記録媒体１００Ｃの記憶部材１０４が搬送路５６の搬送ロール８８及びレジストロール５８の各搬送部材８８ａ、５８ａと接しない位置に記録媒体１００Ｃを配置することができる大きさの略直方体状のブロック体で形成されている（図１１参照）。実施形態４では、記録媒体１００Ｃの記憶部材１０４が主搬送路５６ａの搬送中心位置となる大きさで形成されている。
【０１３７】
また、実施形態４の記録媒体１００Ｃに画像形成装置１０で画像を形成する場合は、まず、手差しユニット８０に記録媒体１００Ｃを配置させる。記録媒体１００Ｃの配置の仕方は、手差しユニット８０の手差し案内部９０のいずれか一方側、実施形態４では、図１１に示す左側に案内部材１４０Ｃが当接されて支持されると共に、手差し案内部９０の他方側に記録媒体１００Ｃが当接されて支持されるようにそれぞれ配置させる。
【０１３８】
これは、実施形態４の記録媒体１００Ｃの記憶部材１０４が搬送ロール８８及びレジストロール５８の各搬送部材８８ａ、５８ａと接触しないように配置させるためであり、案内部材１４０Ｃと記録媒体１００Ｃが手差しユニット８０に反対に配置されると、記録媒体１００Ｃの記憶部材１０４が搬送ロール８８及びレジストロール５８の各搬送部材８８ａ、５８ａと接触されるおそれがある。また、このとき、記録媒体１００Ｃの記憶部材１０４が主搬送路５６ａの搬送中心位置と略一致するようになる。
【０１３９】
また、記録媒体１００Ｃが搬送される向き及び方向を明確にするために、矢印等の印１３０を設けるようにしてもよい。この印１３０は、手差しユニット８０に画像が形成される塗工層１０８が下向きにして配置されるため、記録媒体１００Ｃの画像が形成される塗工層１０８とは、反対の剥離紙１１６側の面に形成される。
【０１４０】
また、手差しユニット８０に配置された記録媒体１００Ｃは、手差しユニット８０から画像形成装置本体１２内に送られる。この送りにより、記録媒体１００Ｃは、手差しピックアップロール８２で送り出され、手差し供給ロール８４及び手差しリタードロール８６により捌かれて、搬送ロール８８により主搬送路５６ａに導かれる。
【０１４１】
このとき、記録媒体１００Ｃの記憶部材１０４は、搬送ロール８８の各搬送部材８８ａに接しないように通過される。すなわち、主搬送路５６ａの搬送ロール８８においては、図１１に示すように、記録媒体１００Ｃの記憶部材１０４が設けられた位置は、搬送ロール８８の中央部分の各搬送部材８８ａの間を通過するようになる。
【０１４２】
また、主搬送路５６ａに導かれた記録媒体１００Ｃは、レジストロール５８において、記録媒体１００Ｃの先端部を一時的に停止させ、画像形成されるタイミングと合致するように記録媒体１００Ｃを転写装置２４に向けて送り出されるようになる。
【０１４３】
このとき、記録媒体１００Ｃの記憶部材１０４は、レジストロール５８の各搬送部材５８ａに接しないように通過される。すなわち、主搬送路５６ａのレジストロール５８においては、図１１に示すように、記録媒体１００Ｃの記憶部材１０４が設けられた位置は、レジストロール５８の中央部分の各搬送部材５８ａの間を通過するようになる。
【０１４４】
その後、記録媒体１００Ｃは、上述のように画像が形成された後、排出部１６に排出され、画像形成が完了する。
【０１４５】
以上より、実施形態４では、幅広部を有しない記録媒体１００Ｃであっても、手差しユニット８０に配置させる場合に、案内部材１４０Ｃと共に設けることで、記録媒体１００Ｃの記憶部材１０４を主搬送路５６ａの搬送ロール８８及びレジストロール５８の各搬送部材８８ａ、５８ａと接触しない位置に設ける構成とすることで、記憶部材１０４の破損等の不具合を防止することができるようになる。
【０１４６】
また、実施形態４では、記録媒体１００Ｃの剥離部１２４に回路装置１０２のみが設けられた場合について示しているが、これに限らず、実施形態２のように、回路装置１０２が設けられた部分と、回路装置１０２が設けられていない部分とをミシン目１２０により繋がれたものとすることができる。
【符号の説明】
【０１４７】
１０  画像形成装置
１２  画像形成装置本体
１６  排出部
５６  搬送路
５６ａ  主搬送路
５８  レジストロール（搬送部）
５８ａ  搬送部材
６０  排出ロール
８０  手差しユニット（開閉装置）
８２  手差しピックアップロール
８４  手差し供給ロール
８６  手差しリタードロール
８８  搬送ロール（搬送部）
８８ａ  搬送部材
９０  手差し案内部
１００、１００’、１００Ａ、１００Ａ’、１００Ｂ、１００Ｃ  記録媒体
１０２  回路装置
１０４  記憶部材
１０８  塗工層
１１６  剥離紙
１１８  切れ込み
１２０  ミシン目
１２２  縦ミシン目
１２４  剥離部
１２６  幅広部
１４０Ｂ、１４０Ｃ  案内部材
２００  他の記録媒体
【図１】
2018104109.tif 000003
【図２】
2018104109.tif 000004
【図３】
2018104109.tif 000005
【図４】
2018104109.tif 000006
【図５】
2018104109.tif 000007
【図６】
2018104109.tif 000008
【図７】
2018104109.tif 000009
【図８】
2018104109.tif 000010
【図９】
2018104109.tif 000011
【図１０】
2018104109.tif 000012
【図１１】
2018104109.tif 000013